(57)【要約】【課題】１つの無線タグのＩＣ回路部に記憶された情報に関し、複数の機器ごとに操作者への表示の可否や操作者による編集の可否を細かく設定する。【解決手段】複数の処理装置１０１，２０１における操作者の表示又は編集操作の可否が各処理装置１０１，２０１ごとに設定された、当該表示又は編集操作対象の無線タグ情報を記憶保持した無線タグ回路素子Ｔoとの間で無線通信により情報の送受信を行うアンテナユニット１０２，２０２を有し、このアンテナユニット１０２，２０２を介し、無線タグ情報を表示又は編集操作の可否を示す可否情報テーブルとともに取得し、この可否情報テーブルに基づき、対応する無線タグ情報の表示部１０９，２０９における表示の可否、若しくは、対応する無線タグ情報に対する操作部１０８，２０８を介した操作者の編集操作の可否のうち、少なくとも一方を決定する。【選択図】図１
2008146130.tif 000002
【特許請求の範囲】
【請求項１】
情報を記憶可能なＩＣ回路部とこのＩＣ回路部に接続され情報の送受信を行うタグ側アンテナとを備えた無線タグ回路素子を有し、
前記ＩＣ回路部は、
複数の機器における操作者への表示又は編集操作の可否が各機器ごとに設定された、当該表示又は編集操作対象の無線タグ情報を記憶保持していることを特徴とする無線タグ。
【請求項２】
請求項１記載の無線タグにおいて、
前記ＩＣ回路部は、
前記機器からの問いかけ信号に対する応答時に、少なくとも、前記無線タグ情報とこれに対応する前記表示又は編集操作の可否情報とをセットにして、前記タグ側アンテナより前記機器へ送信する
ことを特徴とする無線タグ。
【請求項３】
請求項１又は請求項２記載の無線タグにおいて、
前記ＩＣ回路部は、
複数のメモリ領域を備えており、
各メモリ領域ごとに、対応する前記無線タグ情報とこれに対応する前記表示又は編集操作の可否情報とを記憶した
ことを特徴とする無線タグ。
【請求項４】
請求項１乃至請求項３のいずれか１項記載の無線タグにおいて、
前記ＩＣ回路部は、
前記無線タグ情報の重要度情報を、当該無線タグ情報と関連付けた態様で記憶保持している
ことを特徴とする無線タグ。
【請求項５】
請求項１乃至請求項４のいずれか１項記載の無線タグにおいて、
前記ＩＣ回路部は、
前記無線タグ情報に係わる日時情報を、当該無線タグ情報と関連付けた態様で記憶保持している
ことを特徴とする無線タグ。
【請求項６】
請求項１乃至請求項５のいずれか１項記載の無線タグにおいて、
前記ＩＣ回路部は、
前記無線タグ情報としての、第１機器を操作する第１操作者から第２機器を操作する第２操作者への伝達情報と、前記第２操作者による前記第２機器における前記表示又は編集操作の可否情報とを記憶保持している
ことを特徴とする無線タグ。
【請求項７】
請求項６記載の無線タグにおいて、
前記ＩＣ回路部は、
前記第１操作者としての学校関係者から第２操作者としての生徒関係者への前記伝達情報と、前記生徒関係者による前記表示又は編集操作の可否情報とを記憶保持していることを特徴とする無線タグ。
【請求項８】
請求項６記載の無線タグにおいて、
前記ＩＣ回路部は、
前記第１操作者としての生徒関係者から第２操作者としての学校関係者への前記伝達情報と、前記学校関係者による前記表示又は編集操作の可否情報とを記憶保持していることを特徴とする無線タグ。
【請求項９】
請求項７又は請求項８記載の無線タグにおいて、
前記ＩＣ回路部は、
前記生徒に係わる成績関連情報を記憶保持している
ことを特徴とする無線タグ。
【請求項１０】
請求項６乃至請求項９のいずれか１項記載の無線タグにおいて、
前記ＩＣ回路部は、
前記伝達情報に係わる外部記憶情報の格納先情報を記憶保持している
ことを特徴とする無線タグ。
【請求項１１】
情報を記憶可能なＩＣ回路部とこのＩＣ回路部に接続され情報の送受信を行うタグ側アンテナとを備えた無線タグ回路素子を有し、前記ＩＣ回路部に、複数の機器における操作者の表示又は編集操作の可否が各機器ごとに設定された、当該表示又は編集操作対象の無線タグ情報を記憶保持した無線タグの前記無線タグ回路素子との間で無線通信により情報の送受信を行う通信手段と、
前記通信手段を介し、前記ＩＣ回路部に記憶された前記無線タグ情報を前記表示又は編集操作の可否情報とともに取得する情報取得手段と、
この情報取得手段で取得した前記可否情報に基づき、対応する前記無線タグ情報の表示手段における表示実行・不実行、若しくは、対応する前記無線タグ情報に対する操作手段を介した操作者の編集操作の有効化・無効化のうち、少なくとも一方を決定する処理決定手段と
を有することを特徴とする無線タグ情報読取装置。
【請求項１２】
請求項１１記載の無線タグ情報読取装置において、
前記情報取得手段は、
前記通信手段を介し、少なくとも、前記無線タグ情報と前記表示又は編集操作の可否情報とをセットにして取得する
ことを特徴とする無線タグ情報読取装置。
【請求項１３】
請求項１１又は請求項１２記載の無線タグ情報読取装置において、
前記情報取得手段は、
前記無線タグ情報と、前記ＩＣ回路部に記憶された当該無線タグ情報の重要度情報とを取得し、
この取得された前記重要度情報を前記表示手段に表示させるための表示制御信号を生成し出力する重要度表示制御信号出力手段を設けた
ことを特徴とする無線タグ情報読取装置。
【請求項１４】
請求項１２記載の無線タグ情報読取装置において、
前記情報取得手段は、
前記無線タグ情報として、当該無線タグ情報読取装置を操作する本操作者への、他の無線タグ情報読取装置を操作する他操作者からの伝達情報と、前記本操作者による前記伝達情報に対する前記表示又は編集操作の可否情報とを取得し、
前記処理決定手段は、
前記情報取得手段で取得された可否情報に基づき、前記伝達情報の表示手段における表示実行・不実行、若しくは、前記伝達情報に対する前記操作手段を介した前記本操作者の編集操作の有効化・無効化のうち、少なくとも一方を決定する
ことを特徴とする無線タグ情報読取装置。
【請求項１５】
請求項１４記載の無線タグ情報読取装置において、
学校内に設けられており、
前記情報取得手段は、
前記本操作者としての学校関係者への前記他操作者としての生徒関係者からの前記伝達情報と、前記本操作者による前記伝達情報に対する前記表示又は編集操作の可否情報とを取得し、
前記処理決定手段は、
前記情報取得手段で取得された可否情報に基づき、前記伝達情報のうち少なくとも一部に対する前記本操作者の編集操作の有効化を決定する
ことを特徴とする無線タグ情報読取装置。
【請求項１６】
請求項１１乃至請求項１５のいずれか１項記載の無線タグ情報読取装置において、
前記処理決定手段で前記表示手段における表示実行が決定された前記無線タグ情報に対し、対応する表示記録子を付与する表示記録付与手段を有することを特徴とする無線タグ情報読取装置。
【請求項１７】
請求項１１乃至請求項１６のいずれか１項記載の無線タグ情報読取装置において、
前記無線タグ回路素子の情報記憶容量に関する状態に応じて、前記通信手段を介し、前記無線タグ回路素子に記憶されている情報の少なくとも一部を取得し、当該無線タグ回路素子外部の記憶手段へ格納する情報格納手段を有することを特徴とする無線タグ情報読取装置。
【発明の詳細な説明】
【技術分野】
【０００１】
本発明は、外部と情報の無線通信が可能な無線タグ、及びこの無線タグに対し情報の読み取りを行う無線タグ情報読取装置に関する。
【背景技術】
【０００２】
管理対象の物品に無線タグ等を設け、その保持された情報を用いて物品管理を行うシステムが既に知られており、いわゆるＲＦＩＤ（Ｒａｄｉｏ Ｆｒｅｑｕｅｎｃｙ Ｉｄｅｎｔｉｆｉｃａｔｉｏｎ）システムと称されている。
【０００３】
このシステムにおいては、例えばラベル状の無線タグに備えられた無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用化されている。
【０００４】
このような無線タグを用いた従来技術において、１つの無線タグに対して複数の読み取り装置（リーダ）より読み取りを行うものとして、例えば特許文献１記載のものがある。この従来技術は、店舗における物品の移動管理を行うものであり、物品に無線タグが添付される一方、購入者も無線タグを保持する。そして、購入者が物品を購入し決済が終了すると購入者の無線タグのタグＩＤがある読み取り装置（物品処理装置）により読み取られた後、当該タグＩＤ（購入者ＩＤ）が購入された物品の無線タグに書き込まれる。そして、店舗の出口に設けられた別の読み取り装置（万引き防止装置）が、ここを通過する者の無線タグのタグＩＤと、物品の無線タグに書き込まれた購入者タグＩＤとをそれぞれ読み取った後にこれらを比較し、これらが一致すれば購入者による適正な持ち出しと判断し、一致しなければ盗難・万引き等の不適正な持ち出しと判断して所定の警報を発するようにしている。
【０００５】
【特許文献１】特開２００３−１１５０８６号公報
【発明の開示】
【発明が解決しようとする課題】
【０００６】
上記従来技術においては、２つの読み取り装置、すなわち物品購入個所の読み取り装置と店舗出口の読み取り装置との両方で、１つの物品に係わる無線タグの読み取りを行い、所定の処理を行う（物品の万引き防止）ものである。しかしながら、このときに読み取りに関する制限や可否等は特に設定されていない。すなわち、例えば１つの無線タグを所定の情報を伝達するための媒体として使用する場合等において、複数の読み取り装置それぞれごとに、記憶情報の操作者への表示の可否や操作者による編集の可否を細かく設定し利用者の利便性を向上することまでは配慮されていなかった。
【０００７】
本発明の目的は、１つの無線タグを複数の機器を用いて共通に使用する場合において、ＩＣ回路部に記憶された情報に関し、各機器ごとに操作者への表示の可否や操作者による編集の可否を細かく設定できる無線タグ及び無線タグ情報読取装置を提供することにある。
【課題を解決するための手段】
【０００８】
上記目的を達成するために、第１の発明は、情報を記憶可能なＩＣ回路部とこのＩＣ回路部に接続され情報の送受信を行うタグ側アンテナとを備えた無線タグ回路素子を有し、前記ＩＣ回路部は、複数の機器における操作者の表示又は編集操作の可否が各機器ごとに設定された、当該表示又は編集操作対象の無線タグ情報を記憶保持していることを特徴とする。
【０００９】
本願第１発明の無線タグにおいては、ＩＣ回路部に所定の無線タグ情報を記憶するとき、複数の機器ごとの当該情報の表示可否や当該情報の編集可否が設定され記憶されている。これにより、１つの無線タグを複数の機器を用いて共通に使用する場合において、ＩＣ回路部に記憶された情報に関し、各機器ごとに操作者への表示の可否や操作者による編集の可否を細かく設定することができる。この結果、利便性を大きく向上することができる。
【００１０】
第２発明は、上記第１発明において、前記ＩＣ回路部は、前記機器からの問いかけ信号に対する応答時に、少なくとも、前記無線タグ情報とこれに対応する前記表示又は編集操作の可否情報とをセットにして、前記タグ側アンテナより前記機器へ送信することを特徴とする。
【００１１】
問いかけ信号に対する応答時に、無線タグ情報とこれに対応する表示可否情報や編集可否情報をセットにして前記機器側へと送信することにより、１つの無線タグを複数の機器を用いて共通に使用する場合において、各機器ごとに操作者への表示の可否や操作者による編集の可否を細かく設定することができる。
【００１２】
第３発明は、上記第１又は第２発明において、前記ＩＣ回路部は、複数のメモリ領域を備えており、各メモリ領域ごとに、対応する前記無線タグ情報とこれに対応する前記表示又は編集操作の可否情報とを記憶したことを特徴とする。
【００１３】
これにより、各メモリ領域に記憶された無線タグ情報ごとに、複数の機器それぞれにおける表示の可否や操作者による編集の可否を細かく設定することができる。
【００１４】
第４発明は、上記第１乃至第３発明のいずれかにおいて、前記ＩＣ回路部は、前記無線タグ情報の重要度情報を、当該無線タグ情報と関連付けた態様で記憶保持していることを特徴とする。
【００１５】
これにより、対応する無線タグ情報が高重要度であるか低重要度等を併せて表示したり、当該重要度の高低に応じた所定の処理を実行することが可能となるので、さらに利便性を向上することができる。
【００１６】
第５発明は、上記第１乃至第４発明のいずれかにおいて、前記ＩＣ回路部は、前記無線タグ情報に係わる日時情報を、当該無線タグ情報と関連付けた態様で記憶保持していることを特徴とする。
【００１７】
これにより、対応する無線タグ情報の日時が新しいか古いかに応じた所定の処理を実行したり、あるいは当該日時情報自体を併せて表示したりすることが可能となるので、さらに利便性を向上することができる。
【００１８】
第６発明は、上記第１乃至第５発明のいずれかにおいて、前記ＩＣ回路部は、前記無線タグ情報としての、第１機器を操作する第１操作者から第２機器を操作する第２操作者への伝達情報と、前記第２操作者による前記第２機器における前記表示又は編集操作の可否情報とを記憶保持していることを特徴とする。
【００１９】
これにより、１つの無線タグを第１操作者（第１機器使用）と第２操作者（第２機器使用）とで共通に使用する場合において、ＩＣ回路部に記憶された情報に関し、各操作者ごとに表示の可否や編集の可否を細かく設定することができる。この結果、利便性を大きく向上することができる。
【００２０】
第７発明は、上記第６発明において、前記ＩＣ回路部は、前記第１操作者としての学校関係者から第２操作者としての生徒関係者への前記伝達情報と、前記生徒関係者による前記表示又は編集操作の可否情報とを記憶保持していることを特徴とする。
【００２１】
これにより、１つの無線タグを用いて学校関係者（教師等）から生徒関係者（両親等）へ情報を伝達する場合において、生徒関係者への表示の可否や編集の可否を学校関係者側で適宜細かく設定することができる。
【００２２】
第８発明は、上記第６発明において、前記ＩＣ回路部は、前記第１操作者としての生徒関係者から第２操作者としての学校関係者への前記伝達情報と、前記学校関係者による前記表示又は編集操作の可否情報とを記憶保持していることを特徴とする。
【００２３】
これにより、１つの無線タグを用いて生徒関係者（両親等）から学校関係者（教師等）へ情報を伝達する場合において、生徒関係者への表示の可否や編集の可否を生徒関係者側で適宜細かく設定することができる。
【００２４】
第９発明は、上記第７又は第８発明において、前記ＩＣ回路部は、前記生徒に係わる成績関連情報を記憶保持していることを特徴とする。
【００２５】
これにより、生徒の成績に関する各種情報を、生徒関係者（両親等）と学校関係者（教師等）との相互間で伝達することができ、また第三者への表示禁止設定や編集禁止設定等を適宜細かく設定することも可能である。
【００２６】
第１０発明は、上記第６乃至第９発明のいずれかにおいて、前記ＩＣ回路部は、前記伝達情報に係わる外部記憶情報の格納先情報を記憶保持していることを特徴とする。
【００２７】
これにより、無線タグ情報を表示させるとき、格納先情報にリンクすることで外部情報も併せて表示させることができる。また本来表示させたい情報が画像等の大容量情報で無線タグ回路素子に記憶させるのが困難な場合であっても、このように格納先情報によるリンク形式をとることで、無線タグ回路素子の記憶容量を消費することなく、当該大容量情報を操作者側に表示させることができる。
【００２８】
上記目的を達成するために、第１１発明は、情報を記憶可能なＩＣ回路部とこのＩＣ回路部に接続され情報の送受信を行うタグ側アンテナとを備えた無線タグ回路素子を有し、前記ＩＣ回路部に、複数の機器における操作者の表示又は編集操作の可否が各機器ごとに設定された、当該表示又は編集操作対象の無線タグ情報を記憶保持した無線タグの前記無線タグ回路素子との間で無線通信により情報の送受信を行う通信手段と、前記通信手段を介し、前記ＩＣ回路部に記憶された前記無線タグ情報を前記表示又は編集操作の可否情報とともに取得する情報取得手段と、この情報取得手段で取得した前記可否情報に基づき、対応する前記無線タグ情報の表示手段における表示実行・不実行、若しくは、対応する前記無線タグ情報に対する操作手段を介した操作者の編集操作の有効化・無効化のうち、少なくとも一方を決定する処理決定手段とを有することを特徴とする。
【００２９】
本願第１１発明においては、読み取り対象の無線タグ回路素子のＩＣ回路部に所定の無線タグ情報を記憶するとき、複数の機器ごとの当該情報の表示可否や当該情報の編集可否が設定され記憶されている。この表示又は編集操作の可否情報は、通信手段を介し無線タグ情報が情報取得手段で取得されるときに併せて取得される。そして、この取得された可否情報に応じて、処理決定手段が、無線タグ情報の表示実行・不実行や操作手段を介した編集操作の有効化・無効化を決定することで、表示手段における表示・非表示や編集可能・不可能が切り替え制御されることとなる。
【００３０】
このように、１つの無線タグを複数の機器を用いて共通に使用する場合において、ＩＣ回路部に記憶された情報に関し、各機器ごとに操作者への表示の可否や操作者による編集の可否を細かく設定し、その設定に応じた処理を実現することができる。この結果、利便性を大きく向上することができる。
【００３１】
第１２発明は、上記第１１発明において、前記情報取得手段は、前記通信手段を介し、少なくとも、前記無線タグ情報と前記表示又は編集操作の可否情報とをセットにして取得することを特徴とする。
【００３２】
表示又は編集操作の可否情報が、無線タグ情報とセットで情報取得手段で取得されることで、これに応じて処理決定手段が無線タグ情報の表示実行・不実行や操作手段を介した編集操作の有効化・無効化を決定し、表示手段における表示・非表示や編集可能・不可能を切り替え制御することができる。
【００３３】
第１３発明は、上記第１１又は第１２発明において、前記情報取得手段は、前記無線タグ情報と、前記ＩＣ回路部に記憶された当該無線タグ情報の重要度情報とを取得し、この取得された前記重要度情報を前記表示手段に表示させるための表示制御信号を生成し出力する重要度表示制御信号出力手段を設けたことを特徴とする。
【００３４】
これにより、対応する無線タグ情報が高重要度であるか低重要度等を併せて表示することができるので、さらに利便性を向上することができる。
【００３５】
第１４発明は、上記第１２発明において、前記情報取得手段は、前記無線タグ情報として、当該無線タグ情報読み取り装置を操作する本操作者への、他の無線タグ情報読取装置を操作する他操作者からの伝達情報と、前記本操作者による前記伝達情報に対する前記表示又は編集操作の可否情報とを取得し、前記処理決定手段は、前記情報取得手段で取得された可否情報に基づき、前記伝達情報の表示手段における表示実行・不実行、若しくは、前記伝達情報に対する前記操作手段を介した前記本操作者の編集操作の有効化・無効化のうち、少なくとも一方を決定することを特徴とする。
【００３６】
これにより、１つの無線タグを本操作者（当該無線タグ情報読取装置使用）と他操作者（他の無線タグ情報読取装置使用）とで共通に使用する場合において、ＩＣ回路部に記憶された情報に関し、各操作者ごとに表示の可否や編集の可否を細かく設定し、その設定どおりの処理を実現することができる。この結果、利便性を大きく向上することができる。
【００３７】
第１５発明は、上記第１４発明において、学校内に設けられており、前記情報取得手段は、前記本操作者としての学校関係者への前記他操作者としての生徒関係者からの前記伝達情報と、前記本操作者による前記伝達情報に対する前記表示又は編集操作の可否情報とを取得し、前記処理決定手段は、前記情報取得手段で取得された可否情報に基づき、前記伝達情報のうち少なくとも一部に対する前記本操作者の編集操作の有効化を決定することを特徴とする。
【００３８】
これにより、１つの無線タグを用いて生徒関係者（両親等）から学校関係者（教師等）へ情報を伝達した場合において、学校関係者はその伝達情報のうち少なくとも一部を編集し、生徒関係者側に帰すことが可能となる。
【００３９】
第１６発明は、上記第１１乃至第１５発明のいずれかにおいて、前記処理決定手段で前記表示手段における表示実行が決定された前記無線タグ情報に対し、対応する表示記録子を付与する表示記録付与手段を有することを特徴とする。
【００４０】
これにより、１つの無線タグを複数の機器を用いて共通に使用し、情報の伝達等を行う場合において、表示記録子の付与された情報については当該機器において操作者が読んだことを確実に報知することができる。
【００４１】
第１７発明は、上記第１１乃至第１６発明のいずれかにおいて、前記無線タグ回路素子の情報記憶容量に関する状態に応じて、前記通信手段を介し、前記無線タグ回路素子に記憶されている情報の少なくとも一部を取得し、当該無線タグ回路素子外部の記憶手段へ格納する情報格納手段を有することを特徴とする。
【００４２】
これにより、無線タグ回路素子において使用可能な記憶容量が減少した場合に、自動的に内部の記憶情報の少なくとも一部をタグ外部の記憶手段に移すことで無線タグ回路素子の記憶容量を空け、情報記憶キャパシティーを向上（復活）させることができる。
【発明の効果】
【００４３】
本発明によれば、１つの無線タグを複数の機器を用いて共通に使用する場合において、記憶情報に関し各機器ごとに操作者への表示の可否や操作者による編集の可否を細かく設定することができる。
【発明を実施するための最良の形態】
【００４４】
以下、本発明の一実施の形態を図面を参照しつつ説明する。本実施形態は、本発明を学校家庭間の連絡事項の通知システム（以下適宜、学校家庭間通知システムという）に適用した場合の実施形態である。
【００４５】
図１は、本実施形態の学校家庭間通知システムの全体概略を表すシステム構成図である。
【００４６】
この図１において、この学校家庭間通知システムＳは、本実施形態による無線タグ情報読取装置（機器）としての学校側処理装置（第１機器、第２機器、当該無線タグ情報読み取り装置、他の無線タグ情報読み取り装置）１０１と家庭側処理装置（第１機器、第２機器、当該無線タグ情報読み取り装置、他の無線タグ情報読み取り装置）２０１、及びそれら２種類の処理装置（機器）間の間で伝達情報を通知する媒体として機能する無線タグである通知カード１とから構成されている。
【００４７】
学校側処理装置１０１は、この例では小学校等の学校４に１台設置されている。そして、学校４内の各教室５の出入り口６に設置したアンテナユニット１０２により、各生徒Ｈに所持させている（図示する例ではランドセル７に設けている）通知カード１に対して無線通信を介しその通知カード１が記憶する無線タグ情報の読み取りと書き込みが行われる。そして、例えば担当の教師等が、その無線タグ情報の内容のうちの生徒Ｈの父兄と交換する通知メッセージや成績通知表などの各種伝達情報の表示と編集を行えるものである（上記無線タグ情報、伝達情報については後に詳述する）。
【００４８】
また、各生徒Ｈの家庭８には家庭側処理装置２０１が設けられており、この家庭側処理装置２０１のアンテナユニット２０２により無線通信を介して通知カード１が記憶する無線タグ情報の読み取りと書き込みが行われ、父兄はこれに基づき各種伝達情報の表示と編集を行えるものである。
【００４９】
なお、以下において、「読み取り」及び「書き込み」の表現は、学校側処理装置１０１又は家庭側処理装置２０１がそれぞれのアンテナユニット１０２，２０２により無線通信を介し通知カード１に対して行う無線タグ情報の出し入れ動作を意味する。また、「表示」及び「編集」は、学校側処理装置１０１又は家庭側処理装置２０１においてそれぞれ通知カード１より「読み取った」上記無線タグ情報を表示部（後述）に表示すること、及び操作部（後述）を介して編集することを意味するものとする。
【００５０】
図２は、上記学校家庭間通知システムＳの概略を表すシステム構成図である。この図２において、この学校家庭間通知システムＳは、上述したように生徒Ｈに所持させる通知カード１と、学校４側に設けられてその通知カード１に備えられた無線タグ回路素子Ｔoと無線通信を行う上記学校側処理装置１０１と、家庭８側に設けられて同じ通知カード１の無線タグ回路素子Ｔoと無線通信を行う上記家庭側処理装置２０１とから構成されている。
【００５１】
学校側処理装置１０１は、上記アンテナユニット（通信手段）１０２、学校側装置本体１０３、及びデータベースＤＢを構成する記憶装置１０４とから構成されている。この例では学校４内の職員室（特に図示せず）などに設置された学校側装置本体１０３を教師等の操作者（第１操作者、第２操作者、学校関係者、本操作者、他操作者）が操作することにより、同じく職員室に設置された記憶装置１０４のデータベースＤＢに各生徒Ｈに関する各種データを登録管理（表示・編集）できるとともに、教室出入り口６に設置されたアンテナユニット１０２を介して出入り口６を通過する生徒Ｈの通知カード１の無線タグ回路素子Ｔoに対して無線通信により各種伝達情報の読み取りと書き込みを行う。
【００５２】
学校側装置本体１０３は、ＣＰＵ１０５（中央演算装置）と、上記記憶装置１０４のデータベースＤＢとの制御信号及び情報信号の授受の制御を行う入出力インターフェース１０６と、例えばＲＡＭやＲＯＭ等からなるメモリ１０７と、教師からの指示や情報が入力される操作部（操作手段）１０８と、各種情報やメッセージを表示する表示部（表示手段）１０９と、アンテナユニット１０２を介し無線タグ回路素子Ｔoとの無線通信の制御を行うＲＦ通信制御部１１０とを備えている（無線タグ回路素子Ｔoについては後に詳述する）。この学校側装置本体１０３のＣＰＵ１０５は、ＲＡＭの一時記憶機能を利用しつつＲＯＭに予め記憶されたプログラムに従って信号処理を行い、それによって記憶装置１０４のデータベースＤＢに対するデータの検索と登録を行い、アンテナユニット１０２を介した無線通信により通知カード１の無線タグ回路素子Ｔoの存在検出及び無線タグ情報の読み取りと書き込みを行うようになっている。なお表示部１０９及び操作部１０８については、学校側処理装置１０１の外部に設け、入出力インターフェース１０６を介しＣＰＵ１０５に接続するようにしてもよい。
【００５３】
記憶装置１０４は、ハードディスク装置などの大容量記憶装置からなり、無線タグ回路素子Ｔoの識別情報（以下、タグＩＤという）に対応して各生徒Ｈに関する各種情報を上記データベースＤＢに記憶している。なお、データベースＤＢは、学校４内に設けるものに限らず、何らかの通信回線を介して情報を送受可能に接続した外部のデータベースを利用してもよい。
【００５４】
家庭側処理装置２０１は、アンテナユニット２０２及び家庭側装置本体２０３とから構成されている。各家庭８に設けられた家庭側装置本体２０３を父兄等（生徒Ｈ本人を除く）の操作者（第１操作者、第２操作者、生徒関係者、本操作者、他操作者）が操作するともともに、通知カード１をアンテナユニット２０２の近傍にかざすことで、通知カード１の無線タグ回路素子Ｔoに対して無線通信により各種伝達情報の読み取りと書き込みを行う。
【００５５】
家庭側装置本体２０３は、上記学校側装置本体１０３とほぼ同様の構成のものであり、ＣＰＵ２０５と、メモリ２０７と、操作部（操作手段）２０８と、表示部（表示手段）２０９と、ＲＦ通信制御部２１０とを備えている。この家庭側装置本体２０３のＣＰＵ２０５は、ＲＡＭの一時記憶機能を利用しつつＲＯＭに予め記憶されたプログラムに従って信号処理を行い、アンテナユニット２０２を介した無線通信により通知カード１の無線タグ回路素子Ｔoの存在検出及び無線タグ情報の読み取りと書き込みを行うようになっている。なお表示部２０９及び操作部２０８については、家庭側処理装置２０１の外部に設け、適宜の入出力インターフェースを介しＣＰＵ２０５に接続するようにしてもよい。
【００５６】
なお、上記学校側装置本体１０３及び家庭側装置本体２０３は汎用のパーソナルコンピュータで構成することも可能であり、その場合には上記ＲＦ通信制御部１１０，２１０を外部に設けて入出力インターフェース等を介して指示信号及び情報信号の送受を行えばよい。
【００５７】
通知カード１は、タグ側アンテナ（アンテナ）１５１とＩＣ回路部１５０とを備える無線タグ回路素子Ｔoをカード基材１０に設けた構成のものである。
【００５８】
図３は、上記学校側装置本体１０３におけるＣＰＵ１０５、ＲＦ通信制御部１１０及びアンテナユニット１０２の詳細構成を表す機能ブロック図である。なお、ここでは学校側装置本体１０３における例を説明するが、家庭側装置本体２０３において対応する構成についても同等の機能となる。
【００５９】
図３において、ＲＦ通信制御部１１０は上記アンテナユニット１０２を介し上記無線タグ回路素子ＴoのＩＣ回路部１５０の情報(タグＩＤ及び各種伝達情報を含む無線タグ情報)へアクセスするものである。また、ＣＰＵ１０５は無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、学校側装置本体１０３全体の動作を制御するものである。
【００６０】
ＲＦ通信制御部１１０は、アンテナユニット１０２を介し無線タグ回路素子Ｔoに対して信号を送信する送信部２１２と、アンテナユニット１０２により受信された無線タグ回路素子Ｔoからの反射波を入力する受信部２１３と、送受分離器２１４とから構成される。
【００６１】
送信部２１２は、ＣＰＵ１０５の制御により所定の周波数の信号を発生させる無線タグ回路素子ＴoのＩＣ回路部１５０の無線タグ情報にアクセスする(読み取り／書き込みを行う)ための搬送波を発生させる水晶振動子２１５Ａ、ＰＬＬ（Phase  Locked  Loop）２１５Ｂ、及びＶＣＯ（Voltage  Controlled  Oscillator）２１５Ｃと、上記ＣＰＵ１０５から供給される信号に基づいて上記発生させられた搬送波を変調（この例ではＣＰＵ１０５からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１０５からの「ＴＸ＿ＰＷＲ」信号によって増幅率を決定される増幅）する可変送信アンプ２１７とを備えている。そして、上記発生される搬送波は、例えばＵＨＦ帯、マイクロ波帯、短波帯等の周波数を用いており、上記送信アンプ２１７の出力は、送受分離器２１４を介しアンテナユニット１０２に伝達されて無線タグ回路素子ＴoのＩＣ回路部１５０に供給される。なお、無線タグ情報は上記のように変調した信号に限られず、単なる搬送波のみの場合もある。
【００６２】
受信部２１３は、アンテナユニット１０２で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナユニット１０２で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１０５に入力されて処理される。
【００６３】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１０５に入力されるようになっている。このようにして、本実施形態では、Ｉ−Ｑ直交復調によって無線タグ回路素子Ｔoからの反射波の復調が行われる。
【００６４】
図４は、上記学校側処理装置１０１及び家庭側処理装置２０１の検出対象である通知カード１に備えられた無線タグ回路素子Ｔoの機能的構成の一例を表すブロック図である。
【００６５】
図４において、無線タグ回路素子Ｔoは、学校側処理装置１０１及び家庭側処理装置２０１の上記アンテナユニット１０２，２０２と上記ＵＨＦ帯、マイクロ波帯、短波帯等の周波数を用いて非接触で信号の送受信を行う上記タグ側アンテナ１５１と、このタグ側アンテナ１５１に接続された上記ＩＣ回路部１５０とを有している。
【００６６】
ＩＣ回路部１５０は、タグ側アンテナ１５１により受信された搬送波を整流する整流部１５２と、この整流部１５２により整流された搬送波のエネルギを蓄積し駆動電源とするための電源部１５３と、上記タグ側アンテナ１５１により受信された搬送波からクロック信号を抽出して制御部（後述）１５７に供給するクロック抽出部１５４と、所定の情報信号を記憶し得る情報記憶部として機能するメモリ部１５５と、上記タグ側アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００６７】
変復調部１５６は、タグ側アンテナ１５１により受信された上記学校側処理装置１０１及び家庭側処理装置２０１のアンテナユニット１０２，２０２からの通信信号の復調を行うと共に、上記制御部１５７からの返信信号に基づき、アンテナ１５１より受信された搬送波を変調し、アンテナ１５１より反射波として再送信する。
【００６８】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６９】
クロック抽出部１５４は受信した信号からクロック成分を抽出して制御部１５７にクロックを抽出するものであり、受信した信号のクロック成分の速度に対応したクロックを制御部１５７に供給する。
【００７０】
以上において、本実施形態の最も大きな特徴は、１つの無線タグ回路素子Ｔoを学校側処理装置１０１及び家庭側処理装置２０１の複数の処理装置１０１，２０１を用いて共通に使用する際、ＩＣ回路部１５０に各種伝達情報を記憶するとともに、その記憶された各種伝達情報に関して各処理装置１０１，２０１ごとに操作者への表示の可否や操作者による編集の可否を細かく設定した可否情報テーブルをも当該ＩＣ回路部１５０に記憶させておくことにある。また、各処理装置１０１，２０１は上記可否情報テーブルの設定に基づいてＩＣ回路部１５０に記憶されている各種伝達情報の表示実行・不実行、若しくは編集操作の有効化・無効化のうち、少なくとも一方を決定する。以下、その詳細を順次説明する。
【００７１】
まず、本実施形態の例において、無線タグ回路素子ＴoのＩＣ回路部１５０に記憶させる上記可否情報テーブルについて説明する。
【００７２】
図５は、ＩＣ回路部１５０のメモリ部１５５に記憶させる可否情報テーブルの一例を概念的に表す図である。なお、各種伝達情報などの情報項目の内容については図示の煩雑を避けるため特に図示しないものとする。
【００７３】
この図５に示す例の可否情報テーブル（可否情報）は、タグＩＤ及び各種伝達情報をも含んだ無線タグ情報の各情報項目にそれぞれ対応して学校４側の表示の可否（図中「学校側表示」）、学校４側の編集の可否（図中「学校側編集」）、家庭８側の表示の可否（図中「家庭側表示」）、家庭８側の編集の可否（図中「家庭側編集」）、及び情報の重要度（図中「重要度」）が格納される相関情報の形式で構成されている。
【００７４】
そのうちの各可否の内容については、「○」が可能、「×」が不可であることを示している。また重要度は、各無線タグ情報がどの程度重要であるか（機密性を要するか）を示すパラメータであり、図示する例では、「１」が最も機密性を要する重要な情報であることを示し、続いて順に「２」、「３」と重要性が低い情報であることを示している。
【００７５】
また、図示する例の無線タグ情報としては、生徒Ｈ（所持する通知カード１の無線タグ回路素子Ｔo）に対応して設定されているタグＩＤ、例えば住所や電話番号などの個人情報を含む重要情報、学校側最終更新日時（日時情報）、家庭側最終更新日時（日時情報）、当該生徒Ｈのテストの得点やその順位・クラス平均点・志望校及びその志望校平均点などの学業成績（成績関連情報）、学校側からの通知メッセージ（例えば父兄参観日の日程通知など）、家庭側からの通知メッセージ（例えば生徒Ｈの病気やけがについての情報など）、それら伝達情報に係わる遠足の写真データなどを格納した特に学校４側から閲覧してもらいたいＷＥＢページアドレスなどの参照ＵＲＬ（詳細は後述。格納先情報）、及び無線タグのメンテナンス用のシステムの情報・設定（製造メーカーだけ表示、編集できればよい）とで構成されている。
【００７６】
なお、上記無線タグ情報のうち、重要情報、学校側最終更新日時、家庭側最終更新日時、学業成績、学校側からの通知メッセージ、家庭側からの通知メッセージ、参照ＵＲＬ等が伝達情報を構成し、これと、システムの情報及び設定、タグＩＤ等が無線タグ情報を構成する。また、ＩＣ回路部１５０のメモリ部１５５内においては各無線タグ情報にそれぞれ対応する所定のデータ領域（メモリ領域；アドレス領域、セグメントなど）が設定されており、各無線タグ情報はそれら対応するデータ領域中に累積的に記憶されるようになっている。また、記憶装置１０４のデータベースＤＢには各生徒Ｈの名前に対応して上記無線タグ情報を含む各種の情報及び上記可否情報テーブルが格納されている。
【００７７】
そして図５に示す例では、上記伝達情報のうち、学校４側では、タグＩＤの表示とシステムの情報・設定の表示と編集が不可（「×」）である以外はいずれも可能（「○」）である。家庭８側では、学校側最終更新日時と学業成績と学校側からの通知メッセージと参照ＵＲＬとの編集が不可（「×」）となっている。表示はすべて可能「○」である。
【００７８】
図６は、上記学校側装置本体１０３のＣＰＵ１０５によって実行されるタグ情報処理の制御手順を表すフローチャートである。
【００７９】
この図６において、教師などの操作者が学校側装置本体１０３の操作部１０８からタグ情報処理を行うよう指示を入力するとこのフローが開始される。なお、この例では生徒Ｈが登校可能な開門時間にこのフローが開始されるよう操作され、全生徒Ｈの下校が完了する閉門時間にこのフローが終了するよう操作されるものとする。
【００８０】
まずステップＳ５において、教室出入り口６に設けたアンテナユニット１０２（図１参照）から通知カード１に備えられた無線タグ回路素子ＴoのタグＩＤが検出されたか否かを判定する。この手順で行われるタグＩＤの検出については、ここでは詳しく説明しないが、ＲＦ通信制御部１１０を介し例えば無線タグ回路素子Ｔoに対してＩＣ回路部１５０に記憶された上記タグＩＤを読み取るための不特定探索信号（例えば「Scroll  All  ID」「Ping」信号等）を生成してアンテナユニット１０２から送信し、タグＩＤが応答信号として検出されたか否かを判定する公知の手法により行う。
【００８１】
タグＩＤが検出されていない場合は、判定が満たされず、すなわち通知カード１を所持する生徒Ｈが出入り口６を通過していないものとみなしてステップＳ５に戻り、待機状態を維持したままループを繰り返す。一方、タグＩＤが検出された場合は、判定が満たされ、ステップＳ１０へ移る。
【００８２】
ステップＳ１０では、上記ステップＳ５で検出したタグＩＤをキーに入出力インターフェース１０６を介しデータベースＤＢにアクセスして検索を行い、次のステップＳ１５で当該タグＩＤがデータベースＤＢに存在していたか否か、すなわち検出したタグＩＤがデータベースＤＢに登録されている生徒Ｈに対応するタグＩＤであるか否かを判定する。検出したタグＩＤがデータベースＤＢに登録されていない場合、判定が満たされず、すなわち生徒Ｈが所持する通知カード１以外に備えられた無線タグ回路素子Ｔoが教室出入り口６を通過したものとみなしてタグ情報処理を行わずにステップＳ５へ戻り、同様の手順を繰り返す。
【００８３】
一方、検出したタグＩＤがデータベースＤＢに登録されている場合、判定が満たされ、すなわち当該タグＩＤに対応してデータベースＤＢに登録されている生徒Ｈが通知カード１を所持して教室出入り口６を通過したものとみなし、その通知カード１の無線タグ回路素子Ｔoに対するタグ情報処理を行うべくステップＳ２０へ移る。
【００８４】
なお、上記ステップＳ１５の判定において、この例では、図１に示すように一つの教室出入り口６に設けた一つのアンテナユニット１０２において検出されるタグＩＤがデータベースＤＢに登録されているか否か（つまり登録されている生徒Ｈが通知カード１を所持して出入り口６を通過したか否か）だけを判定しているが、さらに教室５が複数ある場合には検出されたタグＩＤがそのアンテナユニット１０２を設置している教室５のクラスに所属している生徒Ｈに対応するものか否かも判定することができる。このためには、アンテナユニット１０２及びデータベースＤＢをも含めた学校側処理装置１０１が各教室５（各クラス）ごとに独立して設けられていればよい。
【００８５】
または、１台の学校側装置本体１０３に対して複数の教室５にそれぞれ設置したアンテナユニット１０２を全て接続し１台のデータベースＤＢとともに一括管理する場合でも、データベースＤＢにおいて各タグＩＤに対応して記憶させる各生徒Ｈの属性情報に所属クラスの情報が含まれていれば、上記の所属クラス別のタグＩＤ判定は可能である。このように所属クラス別のタグＩＤ判定を行った場合には、通知カード１を所持したまま他のクラスの教室５を出入りする生徒Ｈの通知カード１に対して無駄にタグ情報処理を行ってしまうことを回避することができ、情報処理の効率化を図ることができる。
【００８６】
次にステップＳ２０では、学校側装置本体１０３が有する時計機能（特に図示せず）を参照することにより、上記ステップＳ５でタグＩＤを検出した現在時刻が所定の時刻（この例では昼の１２時）より前であるか否かを判定する。１２時より前である場合は、判定が満たされ、すなわちこの例では通知カード１を所持した生徒Ｈが登校（遅刻も含む）したことによって教室出入り口６を通過したものとみなし、ステップＳ１００の登校時読み取り処理を行った後、ステップＳ２５へ移る。一方、１２時以降である場合には、判定が満たされず、すなわちこの例では通知カード１を所持した生徒Ｈが下校（早退も含む）したことによって教室出入り口６を通過したものとみなし、ステップＳ２００の下校時書き込み処理を行った後、ステップＳ２５へ移る。
【００８７】
ステップＳ２５では、操作部１０８においてこのタグ情報処理のフローを終了させる操作がなされたか否かを判定する。終了操作がなされていない場合、判定が満たされず、ステップＳ５に戻りこのフローを最初から繰り返す。一方、終了操作がなされていた場合、判定が満たされ、このフローを終了する。
【００８８】
図７は、上記ステップＳ１００の登校時読み取り処理の詳細手順を表すフローチャートである。
【００８９】
図７において、まずステップＳ１０５で、ＲＦ通信制御部１１０を介し、上記取得したタグＩＤに係る無線タグ回路素子ＴoのＩＣ回路部１５０に記憶された上記（タグＩＤ以外の）無線タグ情報を読み取るための情報要求信号を生成し、アンテナユニット１０２を介し送信する。これにより、アンテナユニット１０２によって教室出入り口６を通過中（ここでは登校時）の生徒Ｈが所持している通知カード１の無線タグ回路素子Ｔo（図中では無線タグと略記、以下同様）から、上記情報要求信号への応答信号が受信され、前述の伝達情報を含む無線タグ情報を取得する。なおこのとき、これら無線タグ情報とともに、それら無線タグ情報の表示・編集可否情報テーブル（図５参照）についても（例えば上記無線タグ情報とセットにされた形で）無線タグ回路素子Ｔoから併せて読み取られ取得される。
【００９０】
次にステップＳ１１０へ移り、上記の検出したタグＩＤをキーに入出力インターフェース１０６を介し記憶装置１０４のデータベースＤＢにアクセスし、対応する生徒Ｈの各種の情報を検索し、取得する。ここで、データベースＤＢに記憶されている生徒Ｈの各種情報は、無線タグ回路素子Ｔoに記憶されている伝達情報と同じ項目の情報を含んでいる。
【００９１】
次にステップＳ１１５へ移り、上記ステップＳ１０５で無線タグ回路素子Ｔoから読み取った伝達情報のうちの家庭側最終更新日時が、上記ステップＳ１１０で取得した各種情報に含まれる家庭側最終更新日時より新しい日時であるか否か、つまり無線タグ回路素子Ｔoに記憶されている家庭側最終更新日時の情報が更新されているか否かを判定する。なお、この登校時読み取り処理で記憶装置１０４のデータベースＤＢから参照する情報はこの家庭側最終更新日時だけであるため、上記ステップＳ１１０でデータベースＤＢから取得する情報は家庭側最終更新日時だけであってもよい。
【００９２】
無線タグ回路素子Ｔoに記憶されている家庭側最終更新日時が更新されている場合、ステップＳ１１５の判定が満たされ、すなわち当該生徒Ｈの父兄が家庭側処理装置２０１によって通知カード１の無線タグ回路素子Ｔoに新しく伝達情報を記録・書き換えしたものとみなして、次のステップＳ１２０で上記ステップＳ１０５で読み取った伝達情報を記憶装置１０４のデータベースＤＢに記録・更新し、このフローを終了する。なお、例えばこのとき、前述のステップＳ１０５で読み取り取得された表示・編集可否情報テーブルも、対応する伝達情報と対応づけた形でデータベースＤＢに格納される。
【００９３】
また一方、上記ステップＳ１１５の判定において、無線タグ回路素子Ｔoに記憶されている家庭側最終更新日時が更新されていない場合、ステップＳ１１５の判定が満たされず、すなわち家庭８側で通知カード１の無線タグ回路素子Ｔoに新しい伝達情報が記録されておらず、データベースＤＢを更新する必要がないものとみなして、そのままこのフローを終了する。
【００９４】
なお、上記登校時読み取り処理によって無線タグ回路素子Ｔoから読み取った伝達情報は、適宜のタイミングで例えば担当の教師（操作者）が学校側装置本体１０３の表示部１０９に表示させて閲覧する。この場合、前述した図５の可否情報テーブルに示すように、システムの情報・設定に関する項目以外の全ての情報を表示させて閲覧することができる（これについては後述の図９の伝達情報表示・編集処理で詳しく説明する）。なお、これに限られず、伝達情報のうちでも部分的に表示できないように設定（可否情報テーブルで学校側表示の対応するパラメータが「×」となる）してもよい。また、上記可否情報テーブルは、予め固定的に無線タグ回路素子Ｔoに記憶させておくものであり、学校側装置本体１０３を用いて教師側が設定するようにしてもよいし、家庭側装置本体２０３を用いて家庭側で設定するようにしてもよいし、第三者が設定するようにしてもよい。
【００９５】
図８は、上記ステップＳ２００の下校時書き込み処理の詳細手順を表すフローチャートである。
【００９６】
図８において、まずステップＳ２０５で、カウンタ変数Ｉを１に初期化した後、次のステップＳ２１０へ移り、上記図６におけるステップＳ５の手順で検出したタグＩＤをキーに入出力インターフェース１０６を介し記憶装置１０４のデータベースＤＢにアクセスし、対応する生徒Ｈの各種の情報を検索し、取得する。
【００９７】
次にステップＳ２１５へ移り、ＲＦ通信制御部１１０を介し、上記ステップＳ２１０で取得した情報のうちで無線タグ回路素子Ｔoに記録すべき伝達情報（すでに教師が新たな情報を記録・書き換えたもの）を書き込むための情報書き込み信号を生成し、アンテナユニット１０２により、教室出入り口６を通過中（ここでは下校時）の生徒Ｈが所持している通知カード１の無線タグ回路素子Ｔoに対し送信し、書き込む。
【００９８】
次にステップＳ２２０へ移り、上記ステップＳ２１５での無線タグ回路素子Ｔoに対する情報の書き込みが正常に行われたか否かの判定を行う。これは、例えば、ＲＦ通信制御部１１０を介し、公知の「Verify」信号などを生成してアンテナユニット１０２から無線タグ回路素子Ｔoに対して送信し、その応答信号により判定することができる。情報の書き込みが正常に行われた場合には、判定が満たされ、そのままこのフローを終了する。
【００９９】
一方、情報の書き込みが正常に行われていない場合には、ステップＳ２２０の判定が満たされず、ステップＳ２２５へ移り、カウンタ変数Ｉが１０であるか否か、すなわち後述するように書き込みを１０回繰り返し行ったか否かを判定する。カウンタ変数Ｉが１０に達している場合、ステップＳ２２５の判定が満たされ、すなわち無線タグ回路素子Ｔoに対して書き込みを１０回行っても正常に記録されないことから何らかの不具合が生じている可能性があるとみなしてステップＳ２３０で表示部１０９に制御信号を出力してエラー表示を行い、このフローを終了する。
【０１００】
また、一方、上記ステップＳ２２５の判定において、カウンタ変数Ｉが１０に満たない場合、判定が満たされず、すなわちまだ無線タグ回路素子Ｔoに対する書き込みの再試行が１０回行われていないとみなして、次のステップＳ２３５でカウンタ変数Ｉを１増加した後にステップＳ２１５へ戻り、情報の書き込みを繰り返す。
【０１０１】
図９は、上記学校側装置本体１０３のＣＰＵ１０５によって実行される伝達情報表示・編集処理の制御手順を表すフローチャートである。このフローは、同じ学校側装置本体１０３のＣＰＵ１０５によって上記図６のタグ情報処理（図７の登校時読み取り処理、及び図８の下校時書き込み処理も含む）とは別途独立して実行されるフローであり、それとは異なる時間で実行できることはもちろん、同時に並行して実行しうるものである。
【０１０２】
図９において、例えば担当の教師等の操作者が、任意の時間で学校側装置本体１０３の操作部１０８から伝達情報表示・編集処理を行うよう指示を入力するとこのフローが開始される。
【０１０３】
まず、ステップＳ３０５において、操作者が、伝達情報を表示編集しようとする対象の生徒Ｈの名前（またはタグＩＤでもよい）を操作部１０８を介して入力指定されたかどうかを判定する。入力されたら判定が満たされて次のステップＳ３１０に移り、上記入力指定された生徒Ｈの名前（またはタグＩＤ）をキーに入出力インターフェース１０６を介し記憶装置１０４のデータベースＤＢにアクセスし、対応する生徒Ｈの各種の情報及びこれに対応する表示・編集可否情報テーブルを検索し、取得する。
【０１０４】
次にステップＳ３１５へ移り、上記ステップＳ３１０で取得した可否情報テーブル（学校側表示）の可否設定に基づき、上記無線タグ情報の各項目を表示部１０９に表示する（後述の図１０参照）。この際、前述の図５の可否情報テーブルの例では、システムの情報・設定に関する項目以外の全ての無線タグ情報を表示させて閲覧することができる（システムの情報・設定は、メーカーにおいてのみ表示・編集できればよいので、表示されないよう設定されている）。なお、タグＩＤについては、後述のように入力編集が行えない態様で表示する。なお、これに限られず、例えば伝達情報のうちでも部分的に表示できないように設定（可否情報テーブルで学校側表示の対応するパラメータを「×」にする）してもよい。
【０１０５】
次のステップＳ３２０では、教師が学校側装置本体１０３の操作部１０８を介して伝達情報を新たに入力し編集する操作が行われたか否かを判定する。新たに伝達情報を入力して編集する操作が行われるまでループして待機し、伝達情報の編集操作が行われた場合、判定が満たされ、次のステップＳ３２５で上記ステップＳ３２０で編集入力された伝達情報を記憶装置１０４のデータベースＤＢに記録・更新し、次のステップＳ３３０へ移る。
【０１０６】
なお、上記ステップＳ３２０において伝達情報を編集する際、先の図５の可否情報テーブルに示したように、この例では、重要情報、学校側最終更新日時、家庭側最終更新日時、学業成績、学校側からの通知メッセージ、家庭側からの通知メッセージ、参照ＵＲＬの情報を編集できる一方で、その他の情報（この例ではシステムの情報・設定のみ）は編集できないようになっている。
【０１０７】
ステップＳ３３０では、操作部１０８においてこの伝達情報表示・編集処理のフローを終了させる操作がなされたか否かを判定する。終了操作がなされていない場合、判定が満たされず、ステップＳ３０５に戻りこのフローを最初から繰り返す。一方、終了操作がなされていた場合、判定が満たされ、このフローを終了する。
【０１０８】
図１０は、上記図９のフローにおけるステップＳ３１５で伝達情報を表示した状態を表す、学校側装置本体１０３の表示部１０９の通知カード１の無線タグ情報表示・編集画面の一例を表す図である。
【０１０９】
図１０において、この無線タグ情報表示・編集画面は、一般的なＧＵＩ操作画面に基づいて表示・編集される画面であり、ポインタ・カーソル（特に図示せず）を画面中の指示目標に併せて所定の操作を行うことでデータの入力や決定指示を行えるものである。
【０１１０】
この無線タグ情報表示・編集画面には、先の図５に示す可否情報テーブルの「学校側表示」の可否設定に示したように、システムの情報及び設定以外の無線タグ情報が表示されている。また、「学校側編集」の可否設定に示したように、タグＩＤ及びシステムの情報及び設定以外、すなわち重要情報、学校側最終更新日時、家庭側最終更新日時、学業成績、学校側からの通知メッセージ、家庭側からの通知メッセージ、及び参照ＵＲＬについては、各ダイアログ・ボックス４０１内にてポインタ・カーソルを用いて操作者により入力編集が行えるようになっている。なお、これに限られず、上記伝達情報のうちでも、部分的に編集できないように設定（可否情報テーブルで学校側編集の対応するパラメータを「×」にする）してもよい。またこのとき、タグＩＤは入力編集が行えないことから、「編集不可」と表示されるとともに、ポインタ・カーソルを当該表示箇所に移行できない（あるいは移行できても入力可能な状態とならない）ようになっている。
【０１１１】
また、重要度が２であるタグＩＤ、学業成績、システムの情報・設定については太字で表示され、重要度が最も高い１に設定されている重要情報については太字で記載された上で下線が付されて表示されている。なお、他にも例えば文字色の違いなどによって重要度を視認できるようにしてもよい。
【０１１２】
そして、例えば操作者が図中に示す「編集」ボタン４０３を操作することで、前述の図２１（ｋ）に対応するステップＳ３２０において新たに伝達情報が入力編集されたものと判定されることになる。
【０１１３】
また、学校側からの通知メッセージ及び家庭側からの通知メッセージにおける各メッセージの冒頭にはチェックボックス４０４が表示されている。この例では、学校側からの通知メッセージにおいては父兄が各メッセージを閲覧したことを示せるようチェックボックス４０４にチェックマーク（表示記録子）４０５を記入することができ（＝表示記録付与手段）、また家庭側からの通知メッセージにおいてはチェックボックス４０４に教師が各メッセージを閲覧したことを示すチェックマーク（表示記録子）４０５を記入することができ（＝表示記録付与手段）、記入時に表示されるようになっている。無線タグ回路素子Ｔoにおける各メッセージのデータは、それぞれこのチェックマーク４０５の有無も含む内容となる。
【０１１４】
図１１は、上記家庭側装置本体２０３のＣＰＵ２０５によって実行されるタグ情報処理の制御手順を表すフローチャートである。
【０１１５】
図１１において、例えば家庭８にいる父兄などの操作者が家庭側装置本体２０３の操作部２０８からタグ情報処理を行うよう指示を入力するとこのフローが開始される。
【０１１６】
まず、ステップＳ５０５においてカウンタ変数Ｉが１に初期化された後に、次のステップＳ５１０でアンテナユニット２０２を介し生徒Ｈが持ち帰った通知カード１（父兄は予め通知カード１をアンテナユニット２０２近傍に掲げておく）の無線タグ回路素子Ｔoから、そこに記憶されている伝達情報及び可否情報テーブルを読み取る。なおこの手順は、図６及び図７において前述したステップＳ５及びステップＳ１０５と同様の手法で行えば足りる（例えば無線タグ情報と、それら無線タグ情報の表示・編集可否情報テーブルとがセットにされた形で読み取られ取得される）ので、詳細な説明を省略する。
【０１１７】
次にステップＳ５１５へ移り、上記ステップＳ５１０で読み取った可否情報テーブル（家庭側表示）に基づいて伝達情報の各項目を表示部２０９に表示する（後述の図１２参照）。この際、先の図５の可否情報テーブルに示したように、システムの情報・設定及びタグＩＤ以外の全ての無線タグ情報を表示させて閲覧することができる。なお、タグＩＤ、学校側最新更新日時、学業成績、学校側からの通知メッセージ、参照ＵＲＬについては、後述のように入力編集が行えない態様で表示する。なお、これに限られず、さらにいくつかの情報を表示できないように設定（可否情報テーブルで家庭側表示の対応するパラメータを「×」にする）してもよい。
【０１１８】
次にステップＳ５２０へ移り、参照ＵＲＬ（格納先情報）により参照可能な伝達情報に係わるＷＥＢページ（外部記憶情報；例えば学校側からの通知メッセージにクラス遠足が行われたことを通知している場合に、その写真などを掲載しているＷＥＢページ）を父兄が操作部２０８を介して表示するよう指示する操作が入力されたか否かを判定する。表示を指示する操作が行われている場合、判定が満たされ、次のステップＳ５２５で、（装置１０１，２０１に接続された図示しないインターネット網等を介し）参照ＵＲＬ（例えばＨＴＴＰサーバやＦＴＴＰサーバのＩＰアドレス、フォルダ及びファイル名）で示すＷＥＢページ（又はファイルなど）の画像信号を取得し、当該画像に対応する表示信号を表示部２０９に出力し表示を行わせてステップＳ５３０へ移る。一方、表示を指示する操作が行われていない場合、ステップＳ５２０の判定が満たされず、そのままステップＳ５３０へ移る。
【０１１９】
ステップＳ５３０では、父兄により、家庭側装置本体２０３の操作部２０８を介して伝達情報を新たに入力し編集する操作が行われたか否かを判定する。新たに伝達情報を入力して編集する操作が行われている場合、判定が満たされ、次のステップＳ５３５に移る。ステップＳ５３５では、ＲＦ通信制御部１１０を介し、上記ステップＳ５３０で編集された情報を含む（編集されなかった情報、編集不可の情報も含む）、無線タグ回路素子Ｔoに記録すべき情報を書き込むための情報書き込み信号を生成し、アンテナユニット２０２により、通知カード１の無線タグ回路素子Ｔoに対し送信し書き込む。そして次のステップＳ５４０へ移る。
【０１２０】
一方、上記ステップＳ５３０の判定において、新たに伝達情報を入力して書き込む操作が行われていない場合、判定は満たされず、そのままステップＳ５６０へ移る。
【０１２１】
ステップＳ５４０では、上記図８におけるステップＳ２２０と同様の手順によって、上記ステップＳ５３５での無線タグ回路素子Ｔoに対する情報の書き込みが正常に行われたか否かの判定を行う。情報書き込みが正常に行われた場合には、判定が満たされ、ステップＳ５６０へ移る。
【０１２２】
一方、情報書き込みが正常に行われていない場合には、判定が満たされず、上記図８におけるステップＳ２２５、ステップＳ２３０、ステップＳ２３５と同様のステップＳ５４５、ステップＳ５５０、ステップＳ５５５により１０回の書き込みの繰り返し、及び１０回繰り返しても正常な書き込みができなかった場合のエラー表示を行う（それぞれ対応する手順が同じであるため説明は省略する）。
【０１２３】
ステップＳ５６０では、父兄が操作部２０８を介して伝達情報のデータをエクスポート（バックアップコピー）するよう指示する操作が入力されたか否かを判定する。すなわち、このエクスポートの指示とは、無線タグ回路素子Ｔoのメモリ部１５５に記憶されているデータ等の内容を、例えば家庭側装置本体２０３の内部又は外部に設けたハードディスクなどの記憶装置やインターフェースを介して接続したフラッシュメモリ、又はフレキシブルディスクやＣＤ−Ｒなどといった記録媒体など（記憶手段）にバックアップ・コピーする旨の指示である。
【０１２４】
前述したように、無線タグ回路素子Ｔoのメモリ部１５５の内部には各無線タグ情報にそれぞれ対応する所定のデータ領域が設定されており、伝達情報を含む各無線タグ情報はそれら対応するデータ領域中に累積的に記憶されているが、無線タグ回路素子Ｔoのメモリ部１５５の記憶容量が比較的少ない場合、書き込みを多数繰り返すと各データ領域の不足が生じる可能性がある。このような場合に、上記データのエクスポートを行うことで過去の書き込み分の内容を保持するとともに、その後に適切にデータを消去することで、メモリ部１５５の使用可能容量を確保することができる。
【０１２５】
そこで、伝達情報のデータをエクスポートするよう指示する操作が入力されている場合、上記ステップＳ５６０の判定が満たされ、ステップＳ５６５で上記の記憶装置などにメモリ部１５５の内容全体をエクスポートする。また各情報の最新の記録部分以外の全ての記憶領域のデータを消去し、このフローを終了する。
【０１２６】
一方、伝達情報のデータをエクスポートするよう指示する操作が入力されていない場合、ステップＳ５６５の判定が満たさず、そのままこのフローを終了する。
【０１２７】
なお、エクスポートする対象の情報については、上述した例のように無線タグ回路素子Ｔoのメモリ部１５５の格納情報のほぼ全体に限られず、他にも各情報の項目毎に指定できるようにしてもよい。また、上記ステップＳ５６０によるエクスポートの実行・不実行の判定においても、上述した例のように操作者（父兄）の任意の選択に基づく判定に限られず、他にもメモリ部１５５全体（または各情報項目毎に設定されたデータ領域）のうちのデータ記録数、空白容量、データ占有率、又は書き込み失敗の有無や回数などに基づいて家庭側装置本体２０３のＣＰＵ２０５が自動的にエクスポートの実行・不実行を判定し、エクスポートを自動実行する（＝情報格納手段）ようにしてもよい。
【０１２８】
図１２は、上記図１１のフローにおけるステップＳ５１５で伝達情報を表示した状態を表す、家庭側装置本体２０３の表示部２０９の通知カード１の無線タグ情報表示・編集画面の一例を表す図であり、上記図１０に対応する図である。この図についても、一般的なＧＵＩ操作画面に基づいて表示・編集される画面であり、その他同等の部分については適宜説明を省略し、以下異なる点についてのみ説明する。
【０１２９】
この図１２において、この無線タグ情報表示・編集画面には、先の図５に示す可否情報テーブルの「家庭側表示」の可否設定に示したように、システムの情報及び設定以外の無線タグ情報が表示されている。また、「家庭側編集」の可否設定に示したように、重要情報、家庭側最終更新日時、家庭側からの通知メッセージに対してダイアログ・ボックス６０１内にてポインタ・カーソルを用いて操作者により入力編集が行えるようになっている。またこのとき、タグＩＤ、学校側最新更新日時、学業成績、学校側からの通知メッセージ、参照ＵＲＬについては入力編集が行えないことから、「編集不可」と表示されるとともに、ポインタ・カーソルを当該表示箇所に移行できない（あるいは移行できても入力可能な状態とならない）ようになっている。
【０１３０】
そして、例えば操作者が図中に示す「このＷＥＢページを表示する」ボタン６０２を操作すると、上記図１１のステップＳ５２０においてＷＥＢページを表示させる指示操作が行われたものと判定されることになる。また、同様に「編集」ボタン６０３を操作することで、ステップＳ５３０において新たに伝達情報が入力編集されたものと判定されることになる。
【０１３１】
また、学校側からの通知メッセージ及び家庭側からメッセージにおける各メッセージの冒頭にはチェックボックス６０４が表示されている。この例では、学校側からの通知メッセージにおいては父兄が各メッセージを閲覧したことを示せるようチェックボックス６０４にチェックマーク（表示記録子）６０５を記入することができ（＝表示記録付与手段）、また家庭側からの通知メッセージにおいてはチェックボックス６０４に教師が各メッセージを閲覧したことを示すチェックマーク（表示記録子）６０５が表示されるようになっている。
【０１３２】
以上において、上記図７のフローにおけるステップＳ１０５、及び、上記図１１のフローにおけるステップＳ５１０が、アンテナユニット１０２，２０２を介し、ＩＣ回路部１５０に記憶された無線タグ情報を表示又は編集操作の可否情報テーブルとともに取得する情報取得手段として機能する。
【０１３３】
また、上記図９のフローにおけるステップＳ３１５、及び上記図１１のフローにおけるステップＳ５１５は、取得した可否情報テーブルに基づき、対応する無線タグ情報の表示部１０９，２０９における表示実行・不実行、若しくは、対応する無線タグ情報に対する操作部１０８，２０８を介した操作者の編集操作の有効化・無効化のうち、少なくとも一方を決定する処理決定手段として機能する。  また、これらの手順は、取得された重要度の情報を表示部２０９に表示させるための表示制御信号を生成し出力する重要度表示制御信号出力手段としても機能する。
【０１３４】
以上のように構成した本実施形態においては、ＩＣ回路部１５０に所定の無線タグ情報を記憶するとき、複数の処理装置（この例では学校側処理装置及び家庭側処理装置）１０１，２０１ごとの当該情報の表示可否や当該情報の編集可否が可否情報テーブルに設定され無線タグ回路素子Ｔoのメモリ部１５５に記憶されている。これにより、図５に一例を示したように、各無線タグ回路素子Ｔoを上記処理装置１０１，２０１で共通に使用し情報の表示や編集を行う場合において、ＩＣ回路部１５０に記憶された情報に関し、各処理装置１０１，２０１ごとに操作者への表示の可否や操作者による編集の可否を細かく設定することができる。この結果、利便性を大きく向上することができる。
【０１３５】
なお、上記実施形態では通知カード１の無線タグ回路素子Ｔoに対して無線タグ情報の読み取りと書き込みが可能な処理装置を学校４側の教師と家庭８側の父兄だけが所有していたが、本発明はこれに限られず、例えば生徒Ｈ本人が処理装置（無線タグ回路素子Ｔoに対して無線通信により読み取りと書き込みが可能な携帯電話などで構成）を別途所有し、通知カード１に対して無線タグ情報の読み取りと書き込みを行えるようにしてもよい。この場合には、可否情報テーブルに生徒Ｈ側への表示（生徒側表示）及び編集（生徒側編集）の可否を示すパラメータ項目を設定し、例えば通知カード１から読み取った上記伝達情報のうちの学業成績だけを表示可能、また家庭側からの通知メッセージだけを編集可能等、適宜に設定すればよい。
【０１３６】
また、この実施形態では特に、無線タグ回路素子Ｔoのメモリ部１５５の各データ領域ごとに、対応する無線タグ情報とこれに対応する表示又は編集操作の可否情報を示す可否情報テーブルとを記憶している。これにより、メモリ部１５５の各データ領域に記憶された無線タグ情報ごとに、処理装置１０１，２０１それぞれにおける表示の可否や操作者による編集の可否を細かく設定することができる。
【０１３７】
また、この実施形態では特に、無線タグ回路素子ＴoのＩＣ回路部１５０が、無線タグ情報の重要度を、当該無線タグ情報と関連付けた態様で記憶保持している。これにより、対応する無線タグ情報が高重要度であるか低重要度であるか等を併せて表示したり（図１０や図１２の太字表示参照）等、その他当該重要度の高低に応じた処理を実行することができ、さらに利便性を向上することができる。
【０１３８】
また、この実施形態では特に、無線タグ回路素子ＴoのＩＣ回路部１５０が、無線タグ情報に係わる最終更新日時を、当該無線タグ情報と関連付けた態様で記憶保持している。これにより、対応する無線タグ情報の日時情報自体を併せて表示したり（＝図１０及び図１２の「学校側最新更新日時」「家庭側最新更新日時」参照）、日時が新しいか古いかに応じた所定の処理を実行したりすることができ、さらに利便性を向上することができる。
【０１３９】
また、この実施形態では特に、無線タグ回路素子ＴoのＩＣ回路部１５０が、伝達情報に係わる情報を掲載したＷＥＢページなどの格納先を示す参照ＵＲＬを記憶保持しており、図１０及び図１２に示すように、無線タグ情報を表示させるとき、当該参照ＵＲＬにリンクすることで関係するＷＥＢページなども併せて表示できる。これにより、前述の遠足の写真データ等、本来表示させたい情報が画像等の大容量情報で無線タグ回路素子Ｔoに記憶させるのが困難な場合であっても、このように参照ＵＲＬによるリンク形式をとることで、無線タグ回路素子Ｔoの記憶容量を消費することなく、当該大容量情報を操作者側に表示させることができる。
【０１４０】
また、この実施形態では特に、表示部２０９に表示された学校側からの通知メッセージまたは家庭側からの通知メッセージに対し、対応するチェックマークを付与できることにより、１つの無線タグを複数の処理装置を用いて共通に使用し、情報の伝達等を行う場合において、チェックマークの付与されたメッセージについては相手の操作者が閲覧したことを確実に報知することができる。
【０１４１】
また、この実施形態では特に、図９のフローにおけるステップＳ５６５のエクスポートの手順により、無線タグ回路素子Ｔoにおいて使用可能な記憶容量が減少した場合に、内部の記憶情報の少なくとも一部を無線タグ回路素子Ｔo外部のハードディスクやフラッシュメモリなどに移すことで無線タグ回路素子Ｔoの記憶容量を空け、情報記憶キャパシティーを向上（復活）させることができる。
【０１４２】
なお、以上で用いた「Erase」信号、「Verify」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１４３】
その他、一々例示はしないが、本発明は、その趣旨を逸脱しない範囲内において、種々の変更が加えられて実施されるものである。
【図面の簡単な説明】
【０１４４】
【図１】本発明の実施形態の無線タグ及び無線タグ情報読取装置を適用した学校家庭間通知システムの全体概略を表すシステム構成図である。
【図２】学校家庭間通知システムの概略を表すシステム構成図である。
【図３】学校側装置本体におけるＣＰＵ、ＲＦ通信制御部及びアンテナユニットの詳細構成を表す機能ブロック図である。
【図４】学校側処理装置及び家庭側処理装置の検出対象である通知カードに備えられた無線タグ回路素子の機能的構成の一例を表すブロック図である。
【図５】ＩＣ回路部のメモリ部に記憶させる可否情報テーブルの一例を概念的に表す図である。
【図６】学校側装置本体のＣＰＵによって実行されるタグ情報処理の制御手順を表すフローチャートである。
【図７】学校側装置本体のＣＰＵが図６中のステップＳ１００において実行する登校時読み取り処理の詳細手順を表すフローチャートである。
【図８】学校側装置本体のＣＰＵが図６中のステップＳ２００において実行する下校時書き込み処理の詳細手順を表すフローチャートである。
【図９】学校側装置本体のＣＰＵによって実行される伝達情報表示・編集処理の制御手順を表すフローチャートである。
【図１０】学校側装置本体の表示部において表示した通知カードの無線タグ情報表示・編集画面の一例を表す図である。
【図１１】家庭側装置本体のＣＰＵによって実行されるタグ情報処理の制御手順を表すフローチャートである。
【図１２】家庭側装置本体の表示部において表示した通知カードの無線タグ情報表示・編集画面の一例を表す図である。
【符号の説明】
【０１４５】
１                通知カード（無線タグ）
４                学校
５                教室
６                教室出入り口
８                家庭
１０１            学校側処理装置（第１機器、第２機器、当該無線タグ情報読み取り装置、他の無線タグ情報読み取り装置）
１０２            アンテナユニット
１０３            学校側装置本体
１０４            記憶装置
１０８            操作部（操作手段）
１０９            表示部（表示手段）
２０１            家庭側処理装置（第１機器、第２機器、当該無線タグ情報読み取り装置、他の無線タグ情報読み取り装置）
２０２            アンテナユニット
２０３            家庭側装置本体
２０８            操作部（操作手段）
２０９            表示部（表示手段）
ＤＢ              データベース
Ｓ                学校家庭間通知システム
Ｈ                生徒
Ｔo               無線タグ回路素子
【図１】
2008146130.tif 000003
【図２】
2008146130.tif 000004
【図３】
2008146130.tif 000005
【図４】
2008146130.tif 000006
【図５】
2008146130.tif 000007
【図６】
2008146130.tif 000008
【図７】
2008146130.tif 000009
【図８】
2008146130.tif 000010
【図９】
2008146130.tif 000011
【図１０】
2008146130.tif 000012
【図１１】
2008146130.tif 000013
【図１２】
2008146130.tif 000014